(57)【要約】  ショートショットの抑制に効果的な車両用樹脂成形品及びその製造方法を提供する。  車両用樹脂成形品であるトリム（１）は、基材本体（３）と一体的に成形され車体（５）に嵌合するクリップ（４）を装着保持するクリップ座（１０）を有している。クリップ座（１０）は、クリップ（４）が装着される平面状の台座部（１１）と、基材本体（３）より立ち上がり、台座部（１１）の周縁部に接続する縦壁状の周壁部（１２）と、台座部（１１）と成形品本体（３）との間に配置され、周壁部（１２）の内周面に内接する平面状の第２補強リブ（１４）と、を有している。この場合、周壁部（１２）は、クリップ座（１０）の内部を開放する開放部（１０ａ）を形成するように、周方向にかけて一定の範囲で設定されている。そして、開放部（１０ａ）側に臨む第２補強リブ（１４）の縁端部（１４ａ）は、面方向の内方に向かって湾曲する曲線形状を備えている。
2017158644.tif 000002
【特許請求の範囲】
【請求項１】
車両用樹脂成形品において、
車体に取り付けられる成形品本体と、
前記成形品本体に一体成形されており、前記車体に嵌合するクリップを装着保持するクリップ座と、を有し、
前記クリップ座は、
前記クリップが装着される平面状の台座部と、
前記成形品本体より立ち上がり、前記台座部の周縁部に接続する縦壁状の周壁部と、
前記台座部と前記成形品本体との間に配置され、前記周壁部の内周面に内接する平面状の補強リブと、を有し、
前記周壁部は、前記クリップ座の内部を開放する開放部を形成するように、一定の範囲で周方向にかけて設定されており、
前記開放部側に臨む前記補強リブの縁端部は、面方向の内方に向かって湾曲する曲線形状を備えることを特徴とする車両用樹脂成形品。
【請求項２】
前記クリップ座は、
前記縁端部を二分するように前記補強リブに起立し、前記台座部に装着保持される前記クリップの頭部を受け止めるクリップ受けリブを、さらに有し、
前記縁端部は、前記クリップ受けリブによって隔てられるそれぞれの範囲で、面方向の内方に向かって湾曲する曲線形状を備えることを特徴とする請求項１に記載された車両用樹脂成形品。
【請求項３】
前記曲線形状は、その中央部分ほど内方に進入する円弧形状であることを特徴とする請求項２に記載された車両用樹脂成形品。
【請求項４】
車体に取り付けられる成形品本体と、
前記車体に嵌合するクリップを装着保持するクリップ座と、を有する車両用樹脂成形品の製造方法において、
前記クリップ座は、
前記クリップが装着される平面状の台座部と、
前記成形品本体より立ち上がり、前記台座部の周縁部に接続する縦壁状の周壁部と、
前記台座部と前記成形品本体との間に配置され、前記周壁部の内周面に内接する平面状の補強リブと、を有し、
前記周壁部は、前記クリップ座の内部を開放する開放部を形成するように、一定の範囲で周方向にかけて設定されており、
前記製造方法は、
射出成形金型のゲートからキャビティ内に溶融樹脂を射出し、当該射出した溶融樹脂を前記成形品本体から前記クリップ座の台座部側へと流動させることにより前記成形品本体と前記クリップ座とを一体成形する工程を有し、
前記補強リブを成形するキャビティにおいて、前記開放部側に臨む前記補強リブの縁端部と対応する部分は、内方に向かって湾曲する曲線形状に設定されることを特徴とする車両用樹脂成形品の製造方法。
【請求項５】
前記クリップ座は、
前記縁端部を二分するように前記補強リブに起立し、前記台座部に装着される前記クリップの頭部を受け止めるクリップ受けリブを、さらに有し、
前記補強リブを成形するキャビティにおいて、前記開放部側に臨む前記補強リブの縁端部と対応する部分は、前記クリップ受けリブによって隔てられるそれぞれの範囲で内方に向かって湾曲する曲線形状に設定されることを特徴とする請求項４に記載された車両用樹脂成形品の製造方法。
【発明の詳細な説明】
【技術分野】
【０００１】
本発明は、車両用樹脂成形品及びその製造方法に関する。
【背景技術】
【０００２】
ピラートリム（ピラーガーニッシュ）、ルーフトリム、ドアトリムといった各種の内装部材が車体（例えば車体パネル）の車室側に配置されている。この内装部材には、意匠面と反対側の面にクリップ座が成形されている。クリップ座には内装部材を車体パネルに取り付けるためのクリップが装着保持され、当該クリップが車体パネルに設けられた嵌合穴に押し込まれ嵌合されることにより、内装部材が車体パネルに取り付けられる。この類の内装部材は、射出成形金型のゲートからキャビティ内に溶融樹脂を射出する射出成形により一体成形された樹脂成形品からなる。【０００３】
例えば特許文献１には、キャビティ内に溶融樹脂を射出して樹脂成形品を成形する際に、金型にガス抜きピンを設定することで、ガス溜まりが発生することがなく、ショートショットを未然に防止する手法が開示されている。この手法は、樹脂成形品のクリップ座内に形成されるガイドリブの先端のように、ガス溜まりが発生し易い箇所に適用される。
【先行技術文献】
【特許文献】
【０００４】
【特許文献１】特開２０１０−１０５２８３号公報
【発明の概要】
【発明が解決しようとする課題】
【０００５】
しかしながら、特許文献１に開示された手法によれば、金型にガス抜きピンを設定する必要があり、コストアップに繋がる可能性がある。また、ガス抜きピンの設定位置とショートショットの発生位置とが異なる場合には、ガス抜きピンによる効果を十分に得ることができないという問題がある。【０００６】
本発明はかかる事情に鑑みてなされたものであり、その目的は、ショートショットの抑制に効果的な車両用樹脂成形品及びその製造方法を提供する。
【課題を解決するための手段】
【０００７】
かかる課題を解決するために、第１の発明は、車体に取り付けられる成形品本体と、成形品本体に一体成形されており、車体に嵌合するクリップを装着保持するクリップ座と、を有する車両用樹脂成形品を提供する。この場合において、クリップ座は、クリップが装着される平面状の台座部と、成形品本体より立ち上がり、台座部の周縁部に接続する縦壁状の周壁部と、台座部と成形品本体との間に配置され、周壁部の内周面に内接する平面状の補強リブと、を有している。ここで、周壁部は、クリップ座の内部を開放する開放部を形成するように、一定の範囲で周方向にかけて設定されている。そして、開放部側に臨む補強リブの縁端部は、面方向の内方に向かって湾曲する曲線形状を備える。【０００８】
ここで、第１の発明において、クリップ座は、縁端部を二分するように補強リブに起立し、台座部に装着保持されるクリップの頭部を受け止めるクリップ受けリブを、さらに有することが好ましい。この場合、縁端部は、クリップ受けリブによって隔てられるそれぞれの範囲で、面方向の内方に向かって湾曲する曲線形状を備えることが望ましい。【０００９】
また、第１の発明において、曲線形状は、その中央部分ほど内方に進入する円弧形状であることが望ましい。【００１０】
また、第２の発明は、車体に取り付けられる成形品本体と、車体に嵌合するクリップを装着保持するクリップ座と、を有する車両用樹脂成形品の製造方法を提供する。このクリップ座は、クリップが装着される平面状の台座部と、成形品本体より立ち上がり、台座部の周縁部に接続する縦壁状の周壁部と、台座部と成形品本体との間に配置され、周壁部の内周面に内接する平面状の補強リブと、を有し、周壁部は、クリップ座の内部を開放する開放部を形成するように、一定の範囲で周方向にかけて設定されている。当該製造方法は、射出成形金型のゲートからキャビティ内に溶融樹脂を射出し、当該射出した溶融樹脂を成形品本体からクリップ座の台座部側へと流動させることにより成形品本体とクリップ座とを一体成形する工程を有している。この場合、補強リブを成形するキャビティにおいて、開放部側に臨む補強リブの縁端部と対応する部分は、内方に向かって湾曲する曲線形状に設定されている。【００１１】
また、第２の発明において、クリップ座は、縁端部を二分するように補強リブに起立し、台座部に装着されるクリップの頭部を受け止めるクリップ受けリブを、さらに有することが好ましい。この場合、補強リブを成形するキャビティにおいて、開放部側に臨む補強リブの縁端部と対応する部分は、クリップ受けリブによって隔てられるそれぞれの範囲で内方に向かって湾曲する曲線形状に設定されていることが望ましい。
【発明の効果】
【００１２】
本発明によれば、溶融樹脂が補強リブの全域に行き渡り易いので、ショートショットの発生を抑制することができる。
【図面の簡単な説明】
【００１３】
【図１】図１は、本実施形態に係るトリムの構成を模式的に示す正面図である。
【図２】図２は、図１に示したトリムの裏面側に設定されるクリップ座の構成を模式的に示す斜視図である。
【図３】図３は、トリムの取付状態を示す断面図である。
【図４】図４は、トリムの製造方法に関する概念を示す説明図である。
【発明を実施するための形態】
【００１４】
図１は、本実施形態に係るトリム１の構成を模式的に示す正面図である。図２は、図１に示したトリム１の裏面側に設定されるクリップ座１０の構成を模式的に示す斜視図である。図３は、トリム１の取付状態を示す断面図である。
【００１５】
本実施形態に係るトリム１は、例えばドアトリムやリヤサイドトリム等の車両用内装部材であり、車体パネル５の車室側に配設される。トリム１は、トリム基材２と、表皮７とで構成されている。
【００１６】
トリム基材２は、適宜の合成樹脂材を用いて射出成形により所要の形状に成形されている。表皮７は、例えばクッション性や加飾性のある合成樹脂製のシート材である。この表皮７は、トリム基材２の表面（車室側に位置付けられる意匠面）側に、例えば熱プレス成形により貼合されている。
【００１７】
なお、表皮７は、トリム基材２の全域に設けず、トリム基材２の所要の範囲に部分的に設けるものでもよい。また、トリム１は、トリム基材２のみで構成するものであってもよい。この場合においては、トリム基材２の表面にエンボス加工等を施し、意匠性を持たせるようにしてもよい。
【００１８】
トリム基材２は、車体パネル５の車室側を覆う基材本体３と、車体パネル５に嵌合する合成樹脂製のクリップ４を装着保持するクリップ座１０とを有している。クリップ座１０は、基材本体３の裏面（意匠面とは逆の面）側に一体成形されており、トリム基材２の周縁部に所定の間隔を隔てて複数立設されている。
【００１９】
以下、本実施形態の特徴の一つであるクリップ座１０について説明する。クリップ座１０は、台座部１１と、周壁部１２と、第１補強リブ１３と、第２補強リブ１４と、クリップ受けリブ１５とを主体に構成されており、これらの要素が一体成形されている。このクリップ座１０は、トリム基材２の射出成形時にスライドコア型を用いて成形され、その一部（スライドコア型の移動方向に相当する部分）が開放部１０ａとして開放されたボックス状に形成されている。
【００２０】
台座部１１は、クリップ座１０の上端壁に相当する平面状の部位である。台座部１１の中央には、クリップ４のくびれ部分が係合することで当該クリップ４を保持するクリップ係合穴１１ａが形成されている。また、台座部１１には、クリップ係合穴１１ａと連通するように、クリップ４をスライド装着するための切欠部１１ｂが設けられている。クリップ４のスライド装着はクリップ座１０の開放部１０ａ側から行われるため、切欠部１１ｂは、台座部１１の開放部１０ａ側に設定されている。
【００２１】
周壁部１２は、基材本体３より立ち上がり、台座部１１の周縁部に接続する縦壁状の部位である。周壁部１２は、開放部１０ａを除く一定の範囲で周方向（台座部１１の周縁部の周方向）にかけて設定されており、当該開放部１０ａによりクリップ座１０の内部が開放されている。
【００２２】
第１補強リブ１３は、周壁部１２の下端側、すなわち、基材本体３と接続する基端側に設けられ、周壁部１２の内周面１２ａに内接（接続）する平面状の部位である。この第１補強リブ１３は、台座部１１と平行する面（又は略平行する面）を形成している。第１補強リブ１３は、クリップ座１０の強度を確保するために設定されている。この第１補強リブ１３において、開放部１０ａ側に臨む縁端部１３ａは直線形状に設定されている。
【００２３】
第２補強リブ１４は、台座部１１と基材本体３との間に設けられ、周壁部１２の内周面１２ａに内接（接続）する平面状の部位である。第２補強リブ１４は、台座部１１と平行する面（又は略平行する面）を形成しており、周壁部１２よりも薄肉状に設定されている。第２補強リブ１４は、クリップ座１０の強度を確保するとともに、後述のクリップ受けリブ１５を保持するために設定されている。
【００２４】
この第２補強リブ１４において、開放部１０ａ側に臨む第２補強リブ１４の縁端部１４ａは、面方向の内方に向かって湾曲する曲線形状を備えている。本実施形態では、開放部１０ａ側の縁端部１４ａがクリップ受けリブ１５によって二分されており、当該クリップ受けリブ１５によって隔てられるそれぞれの範囲１４ａ１，１４ａ２で曲線形状に設定されている。曲線形状は、例えば、その中央部分ほど内方に進入する円弧形状（三日月形状）とされている。
【００２５】
クリップ受けリブ１５は、台座部１１に装着されるクリップ４の頭部を受け止める板状の部位であり、第２補強リブ１４に起立している。クリップ受けリブ１５は、開放部１０ａ側に臨む第２補強リブ１４の縁端部１４ａを二分するように、第２補強リブ１４の中央に配置されている。
【００２６】
このような構成のトリム１を車体パネル５へ配設する際には、それぞれのクリップ座１０において、台座部１１のクリップ係合穴１１ａにクリップ４が装着保持される。そして、トリム１を車体パネル５の対応位置に配置した状態で、クリップ座１０の対応部分を車室側から叩打する。叩打に起因する外力はクリップ受けリブ１５を通じてクリップ４の頭部に作用し、これが車体パネル５の取付孔６に対するクリップ４の圧入力として付与される。そして、クリップ４が車体パネル５の取付孔６に圧入嵌合する。これにより、トリム１が車体パネル５の車室側を覆うように取り付けられる（図３参照）。
【００２７】
つぎに、本実施形態に係るトリム１の製造方法について説明する。図４は、トリム１の製造方法に関する概念を示す説明図である。上述の構成のトリム１のトリム基材２は、射出成形金型のゲートからキャビティ内に溶融樹脂を射出し、基材本体３とクリップ座１０とを一体成形することにより製造される（樹脂成形品）。
【００２８】
射出成形時、キャビティ内に射出された溶融樹脂は、基材本体３からクリップ座１０の上端側へと流動する（図中の矢印で溶融樹脂の流動を示す）。この際、溶融樹脂は流動抵抗の少ない順序でキャビティ内を流動する。上述したクリップ座１０の構造においては、薄肉状の第２補強リブ１４に対応する部分の流動抵抗が大きく、第２補強リブ１４を成形するキャビティ内に溶融樹脂が最終的に行き渡る。
【００２９】
このため、第２補強リブ１４を成形するキャビティの先端側、すなわち、開放部１０ａ側に臨む第２補強リブ１４の縁端部１４ａ側では、溶融樹脂のガス等の影響により溶融樹脂が行き渡り難い傾向となる（ショートショットの発生）。
【００３０】
そこで、第２補強リブ１４を成形するキャビティにおいては、開放部１０ａ側に臨む第２補強リブ１４の縁端部１４ａと対応する部分が、内方に向かって湾曲する曲線形状に設定されている。また、この曲線形状は、クリップ受けリブ１５によって隔てられるそれぞれの範囲に設定されている。この設定にともない、成形品としてのトリム基材２のクリップ座１０において、開放部１０ａ側に臨む第２補強リブ１４の縁端部１４ａは、面方向の内方に向かって湾曲する曲線形状を備えることとなる。
【００３１】
このように本実施形態のトリム１は、車体に取り付けられる基材本体３と、基材本体３と一体的に成形され車体パネル５に嵌合するクリップ４を装着保持するクリップ座１０と、を有している。この場合において、クリップ座１０は、クリップ４が装着される平面状の台座部１１と、基材本体３より立ち上がり、台座部１１の周縁部に接続する縦壁状の周壁部１２と、台座部１１と基材本体３との間に配置され、周壁部１２の内周面１２ａに内接する平面状の第２補強リブ１４と、を有している。ここで、周壁部１２は、クリップ座１０の内部を開放する開放部１０ａを形成するように一定の範囲で周方向にかけて設定されている。そして、開放部１０ａ側に臨む第２補強リブ１４の縁端部１４ａは、面方向の内方に向かって湾曲する曲線形状を備えている。
【００３２】
樹脂成形品であるトリム１において、第２補強リブ１４は溶融樹脂の流動抵抗が大きいため、溶融樹脂中のガス等の影響を受けて、第２補強リブ１４の縁端部１４ａ側ではショートショットが発生し易い傾向にある。その点、本実施形態によれば、曲線形状を備えることで、溶融樹脂の流入側（周壁部１２側）から縁端部１４ａまでの距離が短くなる。これにより、第２補強リブ１４の全域（縁端部１４ａ）に溶融樹脂が行き渡りやすくなり、ショートショットの発生を抑制することができる。
【００３３】
そして、本実施形態によれば、リブ形状自体によってショートショットの発生を適切に抑制することができるので、射出成形金型にガス抜きピンを設定する必要がない。これにより、ピンの追加に伴うコストアップを抑制することができる。
【００３４】
また、第２補強リブ１４を厚肉状に設定し、ショートショットの発生を抑制することも考えられるが、ヒケの発生等が懸念される。このようなヒケの発生が意匠面に表れると、製品の外観性能を低下させることとなる。しかしながら、本実施形態では、厚肉化をすることなく、ショートショットの発生を抑制することができるので、外観性能の低下を抑制することができる。
【００３５】
また、本実施形態において、第２補強リブ１４の縁端部１４ａは、クリップ受けリブ１５によって隔てられるそれぞれの範囲１４ａ１，１４ａ２で、面方向の内方に向かって湾曲する曲線形状に設定されている。
【００３６】
第２補強リブ１４にはクリップ受けリブ１５が立設されている関係上、クリップ受けリブ１５からも第２補強リブ１４へと溶融樹脂が流入する。そのため、クリップ受けリブ１５によって隔てられるそれぞれの範囲１４ａ１，１４ａ２を曲線形状に設定することで、第２補強リブ１４の全域（特に、縁端部１４ａの各範囲１４ａ１，１４ａ２）に溶融樹脂が行き渡りやすくなり、ショートショットの発生を抑制することができる。
【００３７】
また、本実施形態において、曲線形状は、その中央部分ほど内方に進入する円弧形状とされている。
【００３８】
第２補強リブ１４の縁端部１４ａ（１４ａ１，１４ａ２）では、その中央部ほどショートショットの発生が起こり易くなる。そのため、このような円弧形状を採用することで溶融樹脂が確実に行き渡ることとなる。これにより、ショートショットの発生を抑制することができる。
【００３９】
また、本実施形態において、トリム１の製造方法は、射出成形金型のゲートからキャビティ内に溶融樹脂を射出し、当該射出した溶融樹脂を基材本体３からクリップ座１０の台座部１１側へと流動させることにより基材本体３とクリップ座１０とを一体成形する工程を有している。そして、第２補強リブ１４を成形するキャビティにおいて、開放部１０ａ側に臨む第２補強リブ１４の縁端部１４ａと対応する部分は内方に向かって湾曲する曲線形状に設定されている。
【００４０】
トリム１を成形するキャビティにおいて、第２補強リブ１４の縁端部１４ａ側は流動抵抗が大きいため、溶融樹脂中のガス等の影響を受けてショートショットが発生し易い傾向にある。この点、本実施形態の製造方法によれば、第２補強リブ１４を成形するキャビティにおいて、溶融樹脂の流入側（周壁部１２側）から縁端部１４ａまでの距離が短くなる。これにより、第２補強リブ１４を成形するキャビティの全域（特に、縁端部１４ａ）に溶融樹脂が行き渡りやすくなり、ショートショットの発生を抑制することができる。
【００４１】
以上、本発明の実施形態にかかる車両用内装材及びその製造方法について説明したが、本発明は上述した実施形態に限定されることなく、その発明の範囲内において種々の変形が可能であることはいうまでもない。例えば、本発明は、車両用内装材に限らず、車体に取り付けられる樹脂成形品（車両用樹脂成形品）について広く適用することができる。
【００４２】
また、上述した曲線形状は、第１補強リブの縁端部に適用してもよい。
【符号の説明】
【００４３】
１        トリム
２        トリム基材
３        基材本体
４        クリップ
５        車体パネル（車体）
７        表皮
１０        クリップ座
１０ａ      開放部
１１        台座部
１１ａ      クリップ係合穴
１１ｂ      切欠部
１２        周壁部
１２ａ      内周面
１３        第１補強リブ
１３ａ      縁端部
１４        第２補強リブ
１４ａ      縁端部
１５        クリップ受けリブ
【図１】
2017158644.tif 000003
【図２】
2017158644.tif 000004
【図３】
2017158644.tif 000005
【図４】
2017158644.tif 000006
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
車両用樹脂成形品において、
車体に取り付けられる成形品本体と、
前記成形品本体に一体成形されており、前記車体に嵌合するクリップを装着保持するクリップ座と、を有し、
前記クリップ座は、
前記クリップが装着される平面状の台座部と、
前記成形品本体より立ち上がり、前記台座部の周縁部に接続する縦壁状の周壁部と、
前記台座部と前記成形品本体との間に配置され、前記周壁部の内周面に内接する平面状の補強リブと、を有し、
前記周壁部は、前記クリップ座の内部を開放する開放部を形成するように、一定の範囲で周方向にかけて設定されており、
前記開放部側に臨む前記補強リブの縁端部は、面方向の内方に向かって湾曲する曲線形状を備え、
前記クリップ座は、
前記縁端部を二分するように前記補強リブに起立し、前記台座部に装着保持される前記クリップの頭部を受け止めるクリップ受けリブを、さらに有し、
前記縁端部は、前記クリップ受けリブによって隔てられるそれぞれの範囲で、面方向の内方に向かって湾曲する曲線形状を備えることを特徴とする車両用樹脂成形品。
【請求項２】
前記曲線形状は、その中央部分ほど内方に進入する円弧形状であることを特徴とする請求項１に記載された車両用樹脂成形品。
【請求項３】
車体に取り付けられる成形品本体と、
前記車体に嵌合するクリップを装着保持するクリップ座と、を有する車両用樹脂成形品の製造方法において、
前記クリップ座は、
前記クリップが装着される平面状の台座部と、
前記成形品本体より立ち上がり、前記台座部の周縁部に接続する縦壁状の周壁部と、
前記台座部と前記成形品本体との間に配置され、前記周壁部の内周面に内接する平面状の補強リブと、を有し、
前記周壁部は、前記クリップ座の内部を開放する開放部を形成するように、一定の範囲で周方向にかけて設定されており、
前記製造方法は、
射出成形金型のゲートからキャビティ内に溶融樹脂を射出し、当該射出した溶融樹脂を前記成形品本体から前記クリップ座の台座部側へと流動させることにより前記成形品本体と前記クリップ座とを一体成形する工程を有し、
前記補強リブを成形するキャビティにおいて、前記開放部側に臨む前記補強リブの縁端部と対応する部分は、内方に向かって湾曲する曲線形状に設定され、
前記クリップ座は、
前記縁端部を二分するように前記補強リブに起立し、前記台座部に装着される前記クリップの頭部を受け止めるクリップ受けリブを、さらに有し、
前記補強リブを成形するキャビティにおいて、前記開放部側に臨む前記補強リブの縁端部と対応する部分は、前記クリップ受けリブによって隔てられるそれぞれの範囲で内方に向かって湾曲する曲線形状に設定されることを特徴とする車両用樹脂成形品の製造方法。
【手続補正２】
【補正対象書類名】明細書
【補正対象項目名】０００８
【補正方法】変更
【補正の内容】
【０００８】
また、クリップ座は、縁端部を二分するように補強リブに起立し、台座部に装着保持されるクリップの頭部を受け止めるクリップ受けリブを、さらに有することが好ましい。この場合、縁端部は、クリップ受けリブによって隔てられるそれぞれの範囲で、面方向の内方に向かって湾曲する曲線形状を備える。
【手続補正３】
【補正対象書類名】明細書
【補正対象項目名】０００９
【補正方法】変更
【補正の内容】
【０００９】
ここで、第１の発明において、曲線形状は、その中央部分ほど内方に進入する円弧形状であることが望ましい。
【手続補正４】
【補正対象書類名】明細書
【補正対象項目名】００１１
【補正方法】変更
【補正の内容】
【００１１】
また、クリップ座は、縁端部を二分するように補強リブに起立し、台座部に装着されるクリップの頭部を受け止めるクリップ受けリブを、さらに有することが好ましい。この場合、補強リブを成形するキャビティにおいて、開放部側に臨む補強リブの縁端部と対応する部分は、クリップ受けリブによって隔てられるそれぞれの範囲で内方に向かって湾曲する曲線形状に設定されている。
【国際調査報告】
2017158644.tif 000007
2017158644.tif 000008
2017158644.tif 000009
2017158644.tif 000010